(57)【要約】【課題】電気ケーブルあるいはひかりファイバーなどのケーブルを収納する際、コイル状に巻いて収納すると、次回使用時にねじれを生じるため、８の字状に巻くことでねじれを防止するが、８の字巻の作業には熟練が必要。また、単純に８の字巻をされたケーブルは、巻いた状態が崩れやすく、可搬性に欠ける。【解決手段】平面状の基盤の上に、２つのボビンを並べ、交互に、逆方向に巻く。基盤に蓋を被せる、あるいは基盤を折り曲げることによって巻かれたケーブルが崩れることなく保存し、可搬性も確保する。【選択図】図１
2019004470.tif 000002
【特許請求の範囲】
【請求項１】
平面状の基盤表面に、ケーブルを巻くための、２つのボビンを備え、第１ボビンと第２ボビンに対して交互に逆方向にケーブルを巻きつけることを特徴とするケーブル収納装置
【請求項２】
ケーブルが外れることを防止する蓋を取り付けることを特徴とする、請求項１記載のケーブル収納装置
【請求項３】
２つのボビンの中間付近で基盤がボビン側に折れ曲がり、もしくは撓み、２つのボビンの上面同士が対向して固定される構造を特徴とする、請求項１記載のケーブル収納装置
【請求項４】
第２ボビンの中心部分に、第１ボビンの外径より大きい空間が設けられており、２つのボビンの中間付近で基盤がボビン側に折れ曲がり、あるいは撓むことにより、第１ボビンが第２ボビンの中心部の空間に収まることを特徴とする、請求項１記載のケーブル収納装置
【請求項５】
２つのボビンの中間付近で基盤がボビンと反対側に折れ曲がり、２つのボビンが基盤を挟んで背中合わせに配置されることを特徴とする、請求項１記載のケーブル収納装置
【請求項６】
ボビンの中心部に空間を備え、またはボビンの中心部からボビンを取り付けた基盤に沈み込んだ部分に空間を備え、ケーブルの端部に取り付けられたコネクタや機器を収納できる構造を持つ、請求項１ないし５記載のケーブル収納装置
【請求項７】
ボビンの周囲に弾力性を持った構造体を備え、ケーブルの巻終わり側に取り付けられたコネクタまたは機器を挟み込んで固定できる構造を持つ、請求項１ないし６記載のケーブル収納装置
【請求項８】
巻かれる対象がイヤホンであり、ボビンの中心部またはボビンを取り付けた基盤に沈み込んだ部分にイヤピースを収納するための空間が設けられている、請求項１ないし７記載のケーブル収納装置
【請求項９】
基盤がシート状であり、基盤に切れ目を入れて折り曲げ、立体的に組み立てることでボビンを形成することを特徴とする請求項１ないし６記載のケーブル収納装置
【発明の詳細な説明】
【技術分野】
【０００１】  本発明は、ケーブルを巻きつけて収納する装置の構造に関する。
【背景技術】
【０００２】  音響信号や、デジタル信号、電力供給などのためのケーブルあるいはひかりファイバーなどのケーブルを収納する際には、巻いて収納することが一般的である。しかしながら、図９のごとくケーブルをコイル状に巻いて収納すると、取り出す際にねじれを生じ、ケーブルのもつれや絡まりが発生し、ケーブル自体にダメージを生じる。このねじれを防止するために、放送局のビデオカメラのケーブルなどは、図１０のごとく８の字状に巻くことでねじれを防止している。
また、ＰＡ（音響サービス）などに使われるオーディオ用ケーブルは、一巻きごとにひねりを入れて巻くことで、ねじれを防止している。図１１にしめされるこの巻き方も、８の字巻と呼ばれる。
【発明の概要】
【発明が解決しようとする課題】
【０００３】  ケーブルの８の字巻は、熟練した作業者には実施可能であるが、一般人には困難な巻き方である。【０００４】  また、単純に８の字巻をされたケーブルは、巻いた状態が崩れやすく、可搬性に欠ける。
【課題を解決するための手段】
【０００５】  図１のごとく、平面状の基盤の上に、２つのボビンを並べ、交互に、逆方向に巻くことにより巻の直径が一定となる８の字巻を実現する。【０００６】  更に、巻いた上から蓋をかぶせ、ケーブルを収納する構造を構成する。【０００７】  または、基盤を中央部で折り曲げ、２つのボビンを対向させることにより、コンパクトな収納を実現する。
【発明の効果】
【０００８】  上述の手段により、熟練を要さず８の字巻が可能となり、次回のケーブル伸長時にねじれが生じない収納装置を実現することが可能である。【０００９】  また、ケーブル線径に対して、ボビン内径を大きく設定することで、ケーブルに対してダメージを与えにくい収納装置を実現する事ができる。
【図面の簡単な説明】
【００１０】
【図１】課題解決に関する説明図
【図２】第１実施例の説明図
【図３】第２実施例の説明図
【図４】第３実施例の説明図
【図５】第４実施例の説明図
【図６】第５実施例の説明図
【図７】第６実施例の説明図
【図８】第７実施例の説明図
【図９】ケーブルをコイル状に巻いた場合のねじれの説明図
【図１０】ケーブルを８の字状に巻いた場合のねじれの説明図
【図１１】８の字巻きのねじれの説明図
【図１２】第８実施例の説明図
【図１３】第８実施例の斜視図
【発明を実施するための形態】
【００１１】  平面状の基盤の表面に、ケーブルを巻くための、２つのボビンを備える。基盤はケーブルケースの筐体となり得る硬質の材料である。第１ボビンにケーブルを巻き始め、第２ボビンに対しては逆方向にケーブルを巻きつける。以降、交互に逆方向にケーブルを巻き付けることで８の字巻を容易に実現させる。
さらに、蓋を取り付け、あるいは基盤を２つに折り曲げることにより筐体構造を成し、可搬性を確保することができる。
【実施例】
【００１２】  図２は、本発明の第１実施例である。第１ボビン２と第２ボビン３が配置されている。【００１３】  基盤１上には、巻き始めコネクタをホールドするホルダー４が設けられており、コネクタをこれに固定してから、第１ボビン２に半周巻きつける。【００１４】  次に、第２ボビン３に逆方向に１周巻きつけ、以降は交互に逆方向に巻きつける。【００１５】  巻終わった後、上面から樹脂製の蓋５を被せ、ケーブル収納装置とする。【００１６】  図３は、第２実施例である。２つのボビンの中間部で、基盤を折り曲げ、あるいは撓ませてボビンの天面同士を対抗させて、上記例の蓋を不要とするものである。【００１７】  図４は、第３実施例である。第２ボビン３の中心部分に、第１ボビン２の外径より大きい空間が設けられており、２つのボビンの間で、基盤を折り曲げ、あるいはたわませることにより、第１ボビン２が第２ボビン３の中心部分に収納されることを特徴とする。第２ボビンは、第１ボビン寄りの部分に切り欠きが必要となる。【００１８】  図５は、第４実施例である。２つのボビンの中間付近で、基盤がボビンと反対方向に折れ曲がり、２つのボビンが基盤を挟んで背中合わせに配置されることを特徴とする。基盤は、第１ボビンと第２ボビンの中間部分で切り欠きが必要となる。【００１９】  図６は、第５実施例である。第２実施例に於いて、第１ボビンは中心部からボビンを取り付けた基盤に沈み込んだ部分に空間を備え、ケーブルの巻き始め側のコネクタを収納できる構造を持つ。第１ボビンは、第２ボビン寄りの部分に切り欠きが必要となる【００２０】  図７は、第６実施例である。
第５実施例に於いて、第１及び第２ボビンの周囲に弾力性を持った構造体を備え、ケーブルの巻終わり側に取り付けられたコネクタを挟み込んで固定できる構造を持つ。【００２０】  図８は、第７実施例である。第６実施例に於いて、巻かれる対象がイヤホンであり、ボビンの中央部にイヤピースを収納するための空間が設けられていると同時に、収納時にケーブルの弛みによりボビンからケーブルが外れることを防止するケーブル押さえタブ４と、収納時に筐体構造を構成するために基盤の周囲に設けられた外周壁５と、収納時に筐体構造を閉じた状態に維持するための収納時ロック６と、収納時に吊り下げるためのフック７と、展開時に基盤が平面状態を維持するための平面維持ロック機構８を備える。【００２１】  図１２は、第８実施例である。基盤は、合成樹脂のシートで構成され、トムソン型などで、切りこみを施されており、グレーで示される抜き部分９は型で抜かれている。破線で示された谷折り線１０を直角に谷折りし、一点鎖線で示された山折り線１１を山折りし、勘合抜き１２に係止部１３を勘合させることで、基盤の一部がボビンを構成する。図１３は、ボビンをくみ上げた状態の斜視図である。２つのボビンが背中合わせになるよう基盤を折り曲げ、ケーブル収納装置を構成する。
【産業上の利用可能性】
【００２２】  本発明は、電気ケーブル、ひかりファイバーケーブルなどの収納に関する。
【符号の説明】
【００２３】１  基盤
２  第１ボビン
３  第２ボビン
４  ケーブル押さえタブ
５  外周壁
６  収納時ロック
７  吊り下げフック
８  平面維持ロック
９  抜き部分（他のグレー部分も同様）
１０  谷折り線（他の破線部も同様）
１１  山折り線（他の一点鎖線部も同様）
１２  勘合抜き
１３  係止部
【図１】
2019004470.tif 000003
【図２】
2019004470.tif 000004
【図３】
2019004470.tif 000005
【図４】
2019004470.tif 000006
【図５】
2019004470.tif 000007
【図６】
2019004470.tif 000008
【図７】
2019004470.tif 000009
【図８】
2019004470.tif 000010
【図９】
2019004470.tif 000011
【図１０】
2019004470.tif 000012
【図１１】
2019004470.tif 000013
【図１２】
2019004470.tif 000014
【図１３】
2019004470.tif 000015